(57)【特許請求の範囲】
【請求項１】
施設内の互いに異なる位置に配置された無線装置の識別情報、前記無線装置の識別情報を検出する検出装置の識別情報、及び前記無線装置の識別情報が検出された時刻を対応づけた検出履歴情報を蓄積する外部サーバ装置とネットワークを介して接続された情報処理装置であって、
前記施設内の患者が装着している前記無線装置の識別情報と、前記患者の診療予定及び容態を含む医療情報とを対応づけて管理する第１の管理手段と、
前記外部サーバ装置から前記検出履歴情報を取得する第１の取得手段と、
前記施設内のレイアウト、前記検出装置の識別情報、及び該検出装置の前記レイアウトでの配置情報を対応づけたフロア情報と、取得した前記検出履歴情報とを用いて、前記無線装置の識別情報に対応する前記患者が検出された時刻と前記レイアウトでの前記患者の検出場所とを関連づけた位置情報を作成する第２の管理手段と、
前記医療情報と前記位置情報とを用いて、前記無線装置の識別情報に対応する前記患者の位置と当該患者に関する前記医療情報とを前記レイアウト上で対応づけた提供情報を作成し、該提供情報の前記ネットワークを介した取得要求に応じ、所定の時刻における前記提供情報を提供する提供手段と、
を有する情報処理装置。
【請求項２】
前記施設内において呼出の操作が行われた場所の情報を取得する第２の取得手段を有し、
前記提供手段は、
前記呼出の操作が行われた場所を示す情報をさらに提供する請求項１に記載の情報処理装置。
【請求項３】
前記患者の医療情報は、前記患者の医療が行われる場所に関する情報を含み、
前記提供手段は、
前記医療が行われる場所にいる患者が、前記医療の対象となる患者であるか否かを判断するための情報を提供する請求項１又は２に記載の情報処理装置。
【請求項４】
前記第２の管理手段は、
前記第１の取得手段が取得した情報を用いて、前記施設内の医療関係者が装着している前記無線装置の位置情報を管理する請求項３に記載の情報処理装置。
【請求項５】
前記第１の管理手段は、
前記患者の医療を行う医療関係者が装着している前記無線装置の識別情報をさらに管理し、
前記提供手段は、
前記医療が行われる場所にいる医療関係者が、前記医療を行う医療関係者であるか否かを判断するための情報を提供する請求項４に記載の情報処理装置。
【請求項６】
前記第２の管理手段は、
前記第１の取得手段が取得した情報を用いて、前記施設内の薬剤に装着された前記無線装置の位置情報を管理する請求項３乃至５のいずれか一項に記載の情報処理装置。
【請求項７】
前記第１の管理手段は、
前記患者の医療に用いられる薬剤に装着された前記無線装置の識別情報をさらに管理し、
前記提供手段は、
前記医療が行われる場所にある薬剤が、前記患者の医療に用いられる薬剤であるか否かを判断するための情報を提供する請求項６に記載の情報処理装置。
【請求項８】
前記第２の管理手段は、
前記第１の取得手段が取得した前記検出装置の情報を用いて、前記施設内の機器に装着された前記無線装置の位置情報を管理する請求項３乃至７のいずれか一項に記載の情報処理装置。
【請求項９】
前記第１の管理手段は、
前記患者の医療に用いられる機器に装着された前記無線装置の識別情報をさらに管理し、
前記提供手段は、
前記医療が行われる場所にある機器が、前記患者の医療に用いられる機器であるか否かを判断するための情報を提供する請求項８に記載の情報処理装置。
【請求項１０】
前記提供手段は、
前記情報処理装置とネットワークを介して接続された情報端末に前記患者の医療に関する情報を送信する請求項１乃至９のいずれか一項に記載の情報処理装置。
【請求項１１】
前記提供手段は、
前記情報処理装置とネットワークを介して接続された表示装置に前記患者の医療に関する情報を送信する請求項１乃至１０のいずれか一項に記載の情報処理装置。
【請求項１２】
前記無線装置は、前記無線装置の識別情報を送信するＲＦＩＤのアクティブタグであることを特徴とする請求項１乃至１１のいずれか一項に記載の情報処理装置。
【請求項１３】
施設内の互いに異なる位置に配置された無線装置の識別情報、前記無線装置の識別情報を検出する検出装置の識別情報、及び前記無線装置の識別情報が検出された時刻を対応づけた検出履歴情報を蓄積する外部サーバ装置とネットワークを介して接続された情報処理システムであって、
前記施設内の患者が装着している前記無線装置の識別情報と、前記患者の診療予定及び容態を含む医療情報とを対応づけて管理する第１の管理手段と、
前記外部サーバ装置から前記検出履歴情報を取得する第１の取得手段と、
前記施設内のレイアウト、前記検出装置の識別情報、及び該検出装置の前記レイアウトでの配置情報を対応づけたフロア情報と、取得した前記検出履歴情報とを用いて、前記無線装置の識別情報に対応する前記患者が検出された時刻と前記レイアウトでの前記患者の検出場所とを関連づけた位置情報を作成する第２の管理手段と、
前記医療情報と前記位置情報とを用いて、前記無線装置の識別情報に対応する前記患者の位置と当該患者に関する前記医療情報とを前記レイアウト上で対応づけた提供情報を作成し、該提供情報の前記ネットワークを介した取得要求に応じ、所定の時刻における前記提供情報を提供する提供手段と、
を有する情報処理システム。
【請求項１４】
施設内の互いに異なる位置に配置された無線装置の識別情報、前記無線装置の識別情報を検出する検出装置の識別情報、及び前記無線装置の識別情報が検出された時刻を対応づけた検出履歴情報を蓄積する外部サーバ装置とネットワークを介して接続されたコンピュータを、
前記施設内の患者が装着している前記無線装置の識別情報と、前記患者の診療予定及び容態を含む医療情報とを対応づけて管理する第１の管理手段と、
前記外部サーバ装置から前記検出履歴情報を取得する第１の取得手段と、
前記施設内のレイアウト、前記検出装置の識別情報、及び該検出装置の前記レイアウトでの配置情報を対応づけたフロア情報と、取得した前記検出履歴情報とを用いて、前記無線装置の識別情報に対応する前記患者が検出された時刻と前記レイアウトでの前記患者の検出場所とを関連づけた位置情報を作成する第２の管理手段と、
前記医療情報と前記位置情報とを用いて、前記無線装置の識別情報に対応する前記患者の位置と当該患者に関する前記医療情報とを前記レイアウト上で対応づけた提供情報を作成し、該提供情報の前記ネットワークを介した取得要求に応じ、所定の時刻における前記提供情報を提供する提供手段と、
として機能させるためのプログラム。
【請求項１５】
施設内の互いに異なる位置に配置された無線装置の識別情報、前記無線装置の識別情報を検出する検出装置の識別情報、及び前記無線装置の識別情報が検出された時刻を対応づけた検出履歴情報を蓄積する外部サーバ装置とネットワークを介して接続されたコンピュータによる情報提供方法であって、
前記コンピュータが、
前記施設内の患者が装着している前記無線装置の識別情報と、前記患者の診療予定及び容態を含む医療情報とを対応づけて管理するステップと、
前記外部サーバ装置から前記検出履歴情報を取得するステップと、
前記施設内のレイアウト、前記検出装置の識別情報、及び該検出装置の前記レイアウトでの配置情報を対応づけたフロア情報と、取得した前記検出履歴情報とを用いて、前記無線装置の識別情報に対応する前記患者が検出された時刻と前記レイアウトでの前記患者の検出場所とを関連づけた位置情報を作成するステップと、
前記医療情報と前記位置情報とを用いて、前記無線装置の識別情報に対応する前記患者の位置と当該患者に関する前記医療情報とを前記レイアウト上で対応づけた提供情報を作成するステップと、
前記ネットワークを介した前記提供情報の取得要求に応じ、所定の時刻における前記提供情報を提供するステップと、
を実行する情報提供方法。
【発明の詳細な説明】
【技術分野】
【０００１】
本発明は、情報処理装置、情報処理システム、情報提供方法、及びプログラムに関する。
【背景技術】
【０００２】
例えば、屋内や地下等の衛星による測位では正確な位置が測定できないような場所において、位置情報を提供する位置通知システムが知られている（例えば、特許文献１参照）。
【０００３】
また、投薬データ等の医療データを電子カルテシステム等のデータベースで管理する情報処理システムが知られている（例えば、特許文献２参照）。
【発明の概要】
【発明が解決しようとする課題】
【０００４】
病院等の医療施設において、例えば、入院中の患者の位置情報や、患者の医療情報（例えば、カルテ、診療時間、投薬時間等）をまとめて管理したいという要求がある。
【０００５】
この場合、位置情報管理システムを病院内に設置して管理するためには多大な費用を要するので、医療情報を管理する医療情報管理システムを、外部のクラウドサービス等で提供される位置情報管理システムと組み合わせてシステムを構築できることが望ましい。
【０００６】
しかし、医療情報管理システムが管理する情報には、例えば、患者の個人情報や、病院の診療情報、病室のレイアウト情報等、外部には出せない情報が多く含まれる。また、医療情報管理システムは、位置情報管理システム等の他のシステムと組み合わせて利用することが考慮されていないので、必要な情報だけを抽出して利用することは困難である。
【０００７】
このように、医療情報管理システムと外部の位置情報管理システムとを用いて、医療情報の流出を抑制しつつ、位置情報と医療情報とを提供することには困難を伴っていた。
【０００８】
本発明の実施の形態は、上記問題点に鑑みてなされたものであって、医療情報管理システムと外部の位置情報管理システムとを用いて、医療情報の流出を抑制しつつ、位置情報と医療情報とを提供することを容易にする情報処理装置を提供することを目的とする。
【課題を解決するための手段】
【０００９】
上記課題を解決するため、本発明の一実施形態に係る情報処理装置は、施設内の互いに異なる位置に配置された無線装置の識別情報、前記無線装置の識別情報を検出する検出装置の識別情報、及び前記無線装置の識別情報が検出された時刻を対応づけた検出履歴情報を蓄積する外部サーバ装置とネットワークを介して接続された情報処理装置であって、前記施設内の患者が装着している前記無線装置の識別情報と、前記患者の診療予定及び容態を含む医療情報とを対応づけて管理する第１の管理手段と、前記外部サーバ装置から前記検出履歴情報を取得する第１の取得手段と、前記施設内のレイアウト、前記検出装置の識別情報、及び該検出装置の前記レイアウトでの配置情報を対応づけたフロア情報と、取得した前記検出履歴情報とを用いて、前記無線装置の識別情報に対応する前記患者が検出された時刻と前記レイアウトでの前記患者の検出場所とを関連づけた位置情報を作成する第２の管理手段と、前記医療情報と前記位置情報とを用いて、前記無線装置の識別情報に対応する前記患者の位置と当該患者に関する前記医療情報とを前記レイアウト上で対応づけた提供情報を作成し、該提供情報の前記ネットワークを介した取得要求に応じ、所定の時刻における前記提供情報を提供する提供手段と、を有する。
【発明の効果】
【００１０】
本発明の実施の形態によれば、医療情報管理システムと外部の位置情報管理システムとを用いて、医療情報の流出を抑制しつつ、位置情報と医療情報とを提供することを容易にする情報処理装置を提供することができる。
【図面の簡単な説明】
【００１１】
【図１】一実施形態に係る情報処理システムの構成例を示す図である。
【図２】一実施形態に係る検出装置の配置の例を示す図である。
【図３】一実施形態に係る情報処理装置が提供する情報の一例を示す図である。
【図４】一実施形態に係るコンピュータのハードウェア構成例を示す図である。
【図５】一実施形態に係る無線タグのハードウェア構成例を示す図である。
【図６】一実施形態に係る検出装置のハードウェア構成例を示す図である。
【図７】一実施形態に係るゲートウェイのハードウェア構成例を示す図である。
【図８】第１の実施形態に係る情報処理システムの機能構成図である。
【図９】第１の実施形態に係る外部サーバが管理する情報の例を示す図である。
【図１０】第１の実施形態に係る医療情報管理サーバが管理する医療情報の例を示す図である。
【図１１】第１の実施形態に係る情報処理装置が管理する情報の例を示す図（１）である。
【図１２】第１の実施形態に係る情報処理装置が管理する情報の例を示す図（２）である。
【図１３】第１の実施形態に係る情報処理装置の処理の概要を示すフローチャートである。
【図１４】第１の実施形態に係る医療情報の登録、更新処理の例を示すシーケンス図である。
【図１５】第１の実施形態に係る検出情報の取得処理、及び情報の提供処理の例を示すシーケンス図である。
【図１６】第１の実施形態に係る情報端末の表示画面の例を示す図である。
【図１７】第２の実施形態に係る情報処理システムの機能構成図である。
【図１８】第２の実施形態に係る情報の提供処理の例を示すシーケンス図である。
【図１９】第２の実施形態に係る情報処理装置が提供する情報の例を示す図である。
【図２０】第３の実施形態に係る情報処理装置が管理する情報の例を示す図である。
【図２１】第３の実施形態に係る情報端末の表示画面の例を示す図である。
【図２２】第３の実施形態に係る情報処理システムの処理の例を示すシーケンス図である。
【図２３】第４の実施形態に係る対応情報の例を示す図である。
【図２４】第４の実施形態に係る患者情報の例を示す図である。
【図２５】第４の実施形態に係る情報端末の表示画面の例を示す図である。
【図２６】第５の実施形態に係る情報端末の表示画面の例を示す図である。
【図２７】第５の実施形態に係る情報処理システムの処理の例を示すシーケンス図である。
【発明を実施するための形態】
【００１２】
以下に、本発明の実施の形態について、添付の図面を参照して説明する。
【００１３】
＜システムの構成＞
初めに、本実施形態に係る情報処理システムの構成について説明する。
【００１４】
図１は一実施形態に係る情報処理システムの構成例を示す図である。情報処理システム１００は、複数の検出装置１０２、無線タグ１０３、１つ以上のゲートウェイ１０５、外部サーバ１０８、医療情報管理サーバ１１０、登録端末１１２、読取装置１１３、情報処理装置１１４、情報端末１１５、表示装置１１６等を含む。
【００１５】
図１に示すように、ゲートウェイ１０５、医療情報管理サーバ１１０、登録端末１１２、情報処理装置１１４、情報端末１１５、及び表示装置１１６等は、病院１０１内のＬＡＮ（Local Area Network）１０６等のネットワークに接続されている。また、外部サーバ１０８は、インターネット１０７等の外部のネットワークを介して、病院１０１内のＬＡＮ１０６に接続されている。
【００１６】
複数の検出装置１０２は、病院１０１内の天井等の互いに異なる位置に設置され、病院内の医療に関与する人物（例えば患者、医師、看護師等）１０４が装着している無線タグ１０３が送信する無線タグ１０３の識別情報（以後、無線タグＩＤと呼ぶ）を検出する。また、検出装置１０２は、無線タグＩＤを検出すると、検出した無線タグＩＤと自装置の識別情報（以後、検出装置ＩＤと呼ぶ）等の検出装置の情報とを、ゲートウェイ１０５を介して、外部サーバ１０８に送信する。なお、検出装置の情報は、検出装置１０２の位置情報等であっても良い。
【００１７】
図２は、一実施形態に係る検出装置の配置の例を示す図である。図２は、病院１０１内におけるフロアの一例のレイアウト図２０１と、フロアに設置された複数の検出装置１０２の検出範囲２０２（破線の円又は楕円）を示している。
【００１８】
例えば、レイアウト図２０１の中央左側にある「受付」の前の第１領域の天井には、１つの検出装置１０２が設置されており、第１領域にある無線タグ１０３が送信する無線タグＩＤを検出する。また、「第１領域」の下に示す括弧内の数字「０００１」は、第１領域に設けられた検出装置１０２の検出装置ＩＤを示すものとする。第１領域に設けられた検出装置１０２は、無線タグ１０３が送信する無線タグＩＤを検出（受信）すると、検出した無線タグＩＤと、自装置の検出装置ＩＤ「０００１」を、ゲートウェイ１０５を介して、外部サーバ１０８に送信する。
【００１９】
各領域（第１〜第３１領域）の大きさは、例えば、検出装置１０２の受信感度や、アンテナの利得等によって予め設定されており、各領域の形は、例えば、検出装置１０２のアンテナの指向特性によって予め設定されているものとする。
【００２０】
図２に示すように、複数の検出装置１０２は、フロア全体をカバーするように設置されていることが望ましい。これは、無線タグ１０３を検出できない死角があると、人物１０４が、このフロアにいないことを判断することが困難になるためである。
【００２１】
また、例えば、４床室Ａ〜Ｃには、各部屋に４つのベッドが設置されている。このような場合、各ベッドに対応する検出装置１０２が設置されていることが望ましい。
【００２２】
図１に戻ってシステム構成の説明を続ける。
【００２３】
無線タグ１０３は、医療に関与する人物１０４が装着している（又は所持している）無線装置であり、例えば、所定の時間間隔（例えば３０秒間隔）で自装置の識別情報である無線タグＩＤを送信する。無線タグ１０３は、例えば、病院１０１に入院している患者の手首等に装着されたリストバンドや、医療関係者（医師、看護師、放射線技師等）が装着している名札や身分証等に備えられたＲＦＩＤ（Radio Frequency Identifier）のアクティブタグ等である。
【００２４】
なお、ＲＦＩＤのアクティブタグは、無線タグ１０３の一例である。無線タグ１０３は、他の無線装置、例えば、スマートフォン等の情報端末や、スマートウォッチ等のウェアラブル端末等であっても良い。
【００２５】
ゲートウェイ１０５は、複数の検出装置１０２と所定の無線通信により通信可能であり、また、ＬＡＮ１０６やインターネット１０７等のネットワークを介して、外部サーバ１０８と通信可能な中継装置である。ゲートウェイ１０５は、複数の検出装置１０２と、外部サーバ１０８との間のデータの送受信を中継する。これにより、複数の検出装置１０２と、外部サーバ１０８は、ゲートウェイ１０５を介して、データの送受信が可能である。
【００２６】
外部サーバ（外部サーバ装置）１０８は、例えば、ＰＣ等の情報処理装置、又は複数の情報処理装置を含むシステムである。外部サーバ１０８は、複数の検出装置１０２から送信された無線タグＩＤと検出装置ＩＤとを対応づけて検出履歴情報１０９に記憶し、管理する。また、外部サーバ１０８は、例えば、情報処理装置１１４からの要求に応じて、複数の無線タグ１０３の検出情報（無線タグＩＤ、及び検出装置ＩＤ等）を、情報処理装置１１４に提供する。
【００２７】
医療情報管理サーバ１１０は、例えば、ＰＣ等の情報処理装置、又は複数の情報処理装置を含むシステムである。医療情報管理サーバ１１０は、病院１０１内の様々な医療に関する情報（例えば、カルテ情報、入院患者の情報、診療予定の情報等）を医療情報１１１に記憶し、管理する。
【００２８】
登録端末１１２は、例えば、ＰＣ、タブレット端末、スマートフォン等の情報端末である。
【００２９】
例えば、病院１０１の入院受付等において、受付担当者は、登録端末１１２に接続された読取装置１１３等を用いて、入院する患者のリストバンドに印字されたバーコード等を読取る。また、受付担当者は、登録端末１１２を用いて、入院する患者の識別情報である患者ＩＤ、名前、生年月日、診療科、病室等の患者情報を入力し、登録操作を行う。これにより、読取られたバーコード等と、入力された患者情報とが医療情報管理サーバ１１０に送信され、医療情報１１１に登録される。
【００３０】
また、患者の診療を行った医師は、登録端末１１２に接続された読取装置１１３等を用いて、患者のリストバンドに印字されたバーコード等を読取る。また、医師は、診療情報（カルテ情報等）を登録端末１１２に入力し、登録操作を行う。これにより、読取られたバーコード等と、入力された診療情報とが医療情報管理サーバ１１０に送信され、医療情報１１１に登録された患者の診療情報が更新される。
【００３１】
情報処理装置１１４は、医療情報管理サーバ１１０が管理する医療情報１１１を取得し、患者が装着している無線タグ１０３の無線タグＩＤと患者の医療情報とを対応づけて管理する。また、情報処理装置１１４は、外部サーバ１０８から、複数の無線タグ１０３の検出情報を取得し、取得した検出情報を用いて、患者が装着している無線タグ１０３の位置情報を管理する。さらに、情報処理装置１１４は、患者が装着している無線タグ１０３の位置情報を用いて、無線タグ１０３を装着している患者の各種の医療情報を提供する。
【００３２】
図３は、一実施形態に係る情報処理装置が提供する情報の一例を示す図である。図３の例では、病院１０１内におけるフロアの一例のレイアウト図２０１に、各患者の位置、各患者の容態に関する情報、患者が診療を受ける時間等の情報が表示されている。
【００３３】
例えば、図３において、個室ＡにＸＸさん（患者ＩＤ「ＰＩＤ３００１」）がいること、ＸＸさんの容態は「感染症」で「面会謝絶」であること、１３：４０〜１５：５０に個室Ａで診療が予定されていること、等の情報が表示されている。
【００３４】
また、図３の例では、ＺＺさん（患者ＩＤ「ＰＩＤ３００３」）は、デイルーム（談話室等）にいること、容態は「要安静」であること、１３：００〜１３：１０に個室Ｃで診療が予定されていること、等の情報が表示されている。この場合、看護師等は、１３時前にＺＺさんに個室Ｃに戻るように促すことが容易になる。
【００３５】
さらに、図３に示す情報は、所定の時間間隔（例えば１分間隔）で情報が更新されることが望ましい。これにより、看護師等は、例えば、ＧＧさん（患者ＩＤ「ＰＩＤ３０１０」）が、廊下を「ＷＣ（Water Closet）２」の方向に向かっていること、容態が「術後の経過良好、歩行困難」であること、等を容易に認識できるようになる。これにより、看護師等は、例えば、ＧＧさんの歩行の手助けに向かうこと等ができるようになる。
【００３６】
なお、図３において、例えば、患者名を選択（例えばクリック）することにより、各患者のさらに詳細な医療に関する情報（例えば、生年月日、血液型、カルテ情報等）を閲覧できるものであっても良い。
【００３７】
このように、本実施形態に係る情報処理装置１１４は、例えば、病院１０１に入院している患者の位置情報を利用して、患者の位置を示す情報だけではなく、患者の医療に関する様々な情報（例えば、容態、診療予定時間等）を提供することができる。
【００３８】
情報処理装置１１４は、図３に示すような情報を、例えば、情報端末１１５や、表示装置１１６等に送信し、表示させる。或いは、情報処理装置１１４は、図３に示すような情報を、情報処理装置１１４に接続されたディスプレイやプロジェクタ等に表示させるものであっても良い。
【００３９】
再び図１に戻って、システム構成の説明をさらに続ける。
【００４０】
情報端末１１５は、例えば、ＰＣ、タブレット端末、スマートフォン等の情報処理装置である。情報端末１１５は、例えば、情報処理システム１００に対応するアプリケーションプログラム（以下、アプリと呼ぶ）、又はウェブブラウザ等を用いて、情報処理装置１１４から提供される情報（例えば、図３に示すような情報）を表示する。
【００４１】
表示装置１１６は、例えば、大型のディスプレイ、プロジェクタ、デジタルサイネージ等の表示装置である。表示装置１１６は、例えば、図３に示すような情報を、情報処理装置１１４から、例えば、画像データとして受信し、表示する。
【００４２】
このように、本実施形態に係る情報処理システム１００では、情報処理装置１１４が、患者が装着している無線タグの無線タグＩＤと、患者の医療に関する情報とを対応づけて管理する。また、情報処理装置１１４は、外部サーバ１０８から取得した検出情報を用いて、患者が装着している無線タグの位置情報を管理し、無線タグの位置情報を用いて、無線タグを装着している患者の様々な医療情報を提供する。
【００４３】
このとき、外部サーバ１０８によって管理される情報は、無線タグＩＤと検出装置ＩＤのみであり、医療情報管理サーバ１１０が管理する医療情報１１１等の情報は、病院の外部に流出しない。
【００４４】
このように、本実施形態によれば、医療情報管理サーバ１１０と外部サーバ１０８とを用いて、医療情報の流出を抑制しつつ、位置情報と医療情報とを提供することを容易にする情報処理装置１１４を提供することができる。
【００４５】
＜ハードウェア構成＞
次に、各装置のハードウェア構成について説明する。
【００４６】
（コンピュータのハードウェア構成）
図１に示す外部サーバ１０８、医療情報管理サーバ１１０、登録端末１１２、情報処理装置１１４、情報端末１１５等は、一般的なコンピュータの構成を有している。
【００４７】
図４は、一実施形態に係るコンピュータのハードウェア構成例を示す図である。コンピュータ４００は、例えば、ＣＰＵ（Central Processing Unit）４０１、ＲＡＭ（Random Access Memory）４０２、ＲＯＭ（Read Only Memory）４０３、ストレージ部４０４、ネットワークＩ／Ｆ（Interface）部４０５、入力部４０６、表示部４０７、外部Ｉ／Ｆ部４０８、及びバス４０９等を有する。
【００４８】
ＣＰＵ４０１は、ＲＯＭ４０３やストレージ部４０４等に格納されたプログラムやデータをＲＡＭ４０２上に読み出し、処理を実行することで、コンピュータ４００の各機能を実現する演算装置である。ＲＡＭ４０２は、ＣＰＵ４０１のワークエリア等として用いられる揮発性のメモリである。ＲＯＭ４０３は、電源を切ってもプログラムやデータを保持することができる不揮発性のメモリである。
【００４９】
ストレージ部４０４は、例えば、ＨＤＤ（Hard Disk Drive）や、ＳＳＤ（Solid State Drive）等の大容量記憶装置であり、ＯＳ（Operation System）、アプリケーションプログラム、各種のデータ等を記憶する。
【００５０】
ネットワークＩ／Ｆ部４０５は、コンピュータ４００をＬＡＮ１０６やインターネット１０７等のネットワークに接続するための通信インタフェースである。
【００５１】
入力部４０６は、マウス等のポインティングデバイスや、キーボード等の入力装置であり、コンピュータ４００に各操作信号を入力するのに用いられる。
【００５２】
表示部４０７はディスプレイ等の表示装置であり、コンピュータ４００による処理結果等を表示する。
【００５３】
外部Ｉ／Ｆ部４０８は、外部装置とのインタフェースである。外部装置には、例えば、記録媒体４１０、又はバーコードリーダ４１１、ＲＦタグリーダ４１２等の読取装置１１３等が含まれる。
【００５４】
コンピュータ４００は、例えば、記録媒体４１０に所定のプログラムを格納し、この記録媒体４１０に格納されたプログラムを外部Ｉ／Ｆ部４０８を介して、コンピュータ４００にインストールすることにより、所定のプログラムが実行可能となる。
【００５５】
バス４０９は、上記の各構成要素に接続され、アドレス信号、データ信号、及び各種制御信号等を伝送する。
【００５６】
なお、図４の構成はあくまで一例である。例えば、コンピュータ４００は、入力部４０６、表示４５０７等を外部に有していても良いし、入力部４０６及び表示部４０７は、例えば、タッチパネルディスプレイ等の一体型の表示入力部等であっても良い。
【００５７】
（無線タグのハードウェア構成）
図５は、一実施形態に係る無線タグのハードウェア構成例を示す図である。
【００５８】
図５（ａ）は、無線タグ１０３のハードウェア構成の例を示している。無線タグ１０３は、例えば、ＣＰＵ５０１、ＲＡＭ５０２、ＲＯＭ５０３、送信部５０４、及びバス５０５等を有する。
【００５９】
ＣＰＵ５０１は、ＲＯＭ５０３等に格納されたプログラムを実行することにより、無線タグ１０３の各機能を実現する演算装置である。ＲＡＭ５０２は、ＣＰＵ５０１のワークエリア等として用いられる揮発性のメモリである。ＲＯＭ５０３は、無線タグ１０３のプログラムや、無線タグＩＤ等を記憶する不揮発性のメモリである。ＲＯＭ５０３は、例えば、フラッシュＲＯＭ、ＥＥＰＲＯＭ（Electrically Erasable Programmable Read-Only Memory）等の書き換え可能な不揮発性メモリであっても良い。
【００６０】
送信部５０４は、例えば、ＲＦＩＤ等の所定の無線信号を送信する送信回路やアンテナ等を含む。所定の無線信号の例として、例えば、３１５ＭＨｚ帯の微弱無線を用いることができる。この場合、無線タグ１０３が発信する所定の無線信号の通信可能距離（到達距離）は、例えば、１０ｍ程度となる。
【００６１】
バス５０５は、上記の各構成要素に接続され、アドレス信号、データ信号、及び各種制御信号等を伝送する。
【００６２】
図５（ｂ）は、病院１０１に入院する患者が手首等に装着するリストバンドの例を示している。図５（ｂ）の例では、リストバンド５１３は、患者を識別するための患者ＩＤ、患者の名前、生年月日等の患者の情報５１１と、バーコード５１２とが印字されており、病院１０１に入院する患者の手首等に、留め具５１４を用いて装着される。患者が病院１０１を退院する際には、例えば、リストバンド５１３をはさみ等で切断することにより、リストバンド５１３を患者の手首等から取り外すものとする。
【００６３】
本実施形態では、患者が所持又は装着する無線タグ１０３は、このリストバンド５１３に、容易に取り外しができないように取り付けられているものとする。
【００６４】
また、医師、看護師等の医療関係者が所持又は装着する無線タグ１０３は、医療関係者が装着する名札、バッジ、身分証明書、リストバンド、ウェアラブル端末等に組み込まれていることが望ましい。
【００６５】
なお、無線タグ１０３は、ＲＯＭ５０３に予め記憶されたタグＩＤを、所定の時間間隔（例えば３０秒間隔）で、送信部５０４を用いて送信するものとする。
【００６６】
（検出装置のハードウェア構成）
図６は、一実施形態に係る検出装置のハードウェア構成例を示す図である。検出装置１０２は、例えば、ＣＰＵ６０１、ＲＡＭ６０２、ＲＯＭ６０３、受信部６０４、無線通信部６０５、及びバス６０６等を有する。
【００６７】
ＣＰＵ６０１は、ＲＯＭ６０３等に格納されたプログラムを実行することにより、検出装置１０２の各機能を実現する演算装置である。ＲＡＭ６０２は、ＣＰＵ６０１のワークエリア等として用いられる揮発性のメモリである。ＲＯＭ６０３は、検出装置１０２のプログラムや、検出装置ＩＤ等を記憶する不揮発性のメモリである。ＲＯＭ６０３は、例えば、フラッシュＲＯＭ、ＥＥＰＲＯＭ等の書き換え可能な不揮発性のメモリであっても良い。
【００６８】
受信部６０４は、例えば、ＲＦＩＤ等の所定の無線方式の電波を受信する受信回路やアンテナ等を含む。
【００６９】
無線通信部６０５は、例えば、受信部６０４とは異なる無線通信方式により、ゲートウェイ１０５と無線通信を行う送受信回路やアンテナ等を含む。無線通信部６０５は、例えば、無線ＬＡＮ、Ｚｉｇｂｅｅ（登録商標）、又は、９２０ＭＨｚ帯の特定省電力無線（IEEE802.15.4g）等を用いて、ゲートウェイ１０５と通信することができる。
【００７０】
バス６０６は、上記の各構成要素に接続され、アドレス信号、データ信号、及び各種制御信号等を伝送する。
【００７１】
（ゲートウェイのハードウェア構成）
図７は、一実施形態に係るゲートウェイのハードウェア構成例を示す図である。ゲートウェイ１０５は、例えば、ＣＰＵ７０１、ＲＡＭ７０２、ＲＯＭ７０３、無線通信部７０４、ネットワークＩ／Ｆ部７０５、及びバス６０６等を有する。
【００７２】
ＣＰＵ７０１は、ＲＯＭ７０３等に格納されたプログラムを実行することにより、ゲートウェイ１０５の各機能を実現する演算装置である。ＲＡＭ７０２は、ＣＰＵ７０１のワークエリア等として用いられる揮発性のメモリである。ＲＯＭ７０３は、ゲートウェイ１０５のプログラム等を記憶する不揮発性のメモリである。ＲＯＭ７０３は、例えば、フラッシュＲＯＭ、ＥＥＰＲＯＭ等の書き換え可能な不揮発性メモリであっても良い。
【００７３】
無線通信部７０４は、例えば、前述した検出装置１０２の無線通信部６０５と同じ無線通信方式により無線通信を行う無線回路やアンテナ等を含む。
【００７４】
無線通信部７０４は、例えば、９２０ＭＨｚ帯の特定省電力無線を用いた場合、無線ＬＡＮや、Ｚｉｇｂｅｅ等の無線方式に対し、伝送速度が２００Ｋｂｐｓ程度と低い反面、数１０ｍＡ程度の消費電流で数１００ｍ程度までのデータ伝送が可能である。
【００７５】
病院１０１内には、無線通信部７０４の無線通信方式に応じて、各フロアに設置された検出装置１０２と通信を行うために必要な数のゲートウェイ１０５が設置されているものとする。
【００７６】
ネットワークＩ／Ｆ部７０５は、ゲートウェイ１０５をＬＡＮ１０６等のネットワークに接続するための通信インタフェースである。
【００７７】
バス７０６は、上記の各構成要素に接続され、アドレス信号、データ信号、及び各種制御信号等を伝送する。
【００７８】
［第１の実施形態］
＜機能構成＞
図８は、第１の実施形態に係る情報処理システムの機能構成図である。
【００７９】
（情報処理装置の機能構成）
情報処理装置１１４は、通信手段８０１、患者情報管理手段８０２、検出情報取得手段８０３、位置情報管理手段８０４、情報提供手段８０５、表示制御手段８０６、操作受付手段８０７、及び記憶手段８０８等を有する。
【００８０】
通信手段８０１は、情報処理装置１１４を、ＬＡＮ１０６等のネットワークに接続し、外部サーバ１０８、医療情報管理サーバ１１０、情報端末１１５、表示装置１１６等と通信を行うための手段である。通信手段８０１は、例えば、図４のネットワークＩ／Ｆ部４０５、及び図４のＣＰＵ４０１で動作するプログラム等によって実現される。
【００８１】
患者情報管理手段（第１の管理手段）８０２は、病院１０１内の患者が装着している無線タグ１０３の無線タグＩＤと、患者の医療に関する情報（例えば医療情報１１１）とを対応づけて管理する。患者情報管理手段８０２は、例えば、図４のＣＰＵ４０１で動作するプログラムによって実現される。
【００８２】
患者情報管理手段８０２は、患者が装着しているリストバンド５１３に装着された無線タグ１０３の無線タグＩＤと、リストバンド５１３に印字されたバーコード５１２の識別情報とを対応づけて記憶した対応情報８１０を、記憶手段８０８に記憶している。
【００８３】
患者情報管理手段８０２は、この対応情報８１０に基づいて、患者が装着している無線タグ１０３の識別情報と、医療情報管理サーバ１１０が管理している医療情報１１１とを対応づけて管理する。例えば、患者情報管理手段８０２は、対応情報８１０に基づいて、医療情報管理サーバ１１０から取得した医療情報１１１と、無線タグ１０３のタグＩＤとを対応づけて、患者情報８０９として記憶手段８０８に記憶し、管理する。
【００８４】
或いは、患者情報管理手段８０２は、対応情報８１０に基づいて、無線タグ１０３の無線タグＩＤを用いて、無線タグ１０３を装着している患者の医療情報を、医療情報管理サーバ１１０から取得するもの等であっても良い。なお、対応情報８１０、及び患者情報８０９については後述する。
【００８５】
検出情報取得手段（第１の取得手段）８０３は、外部サーバ１０８から、病院１０１内の無線タグ１０３の無線タグＩＤ、及び無線タグＩＤを検出した検出装置１０２の検出装置ＩＤ等を取得する。検出情報取得手段８０３は、例えば、図４のＣＰＵ４０１で動作するプログラムによって実現される。
【００８６】
なお、検出情報取得手段８０３が、外部サーバ１０８から取得する検出装置ＩＤは、検出装置１０２の情報の一例である。検出装置１０２の情報は、例えば、検出装置１０２の位置情報（例えば座標情報）等であっても良い。
【００８７】
位置情報管理手段（第２の管理手段）８０４は、検出情報取得手段８０３が取得した情報（以下、検出情報と呼ぶ）を用いて、病院１０１内の患者が装着している無線タグ１０３の位置を示す情報（以下、位置情報と呼ぶ）を管理する。位置情報管理手段８０４は、例えば、図４のＣＰＵ４０１で動作するプログラムによって実現される。
【００８８】
例えば、位置情報管理手段８０４は、病院１０１内の各フロアの情報であるフロア情報を、記憶手段８０８にフロア情報８１２として予め記憶している。フロア情報８１２には、例えば、図２、３に示すレイアウト図２０１や、図２の各領域（第１領域〜第３２領域、Ｅ１領域、Ｅ２領域）の配置された検出装置１０２の検出装置ＩＤ等の情報が含まれている。位置情報管理手段８０４は、このフロア情報８１２と、検出情報取得手段８０３が取得した検出情報とを用いて、病院１０１内の患者が装着している無線タグ１０３の位置情報を管理し、例えば、記憶手段８０８に位置情報８１１として記憶する。
【００８９】
情報提供手段（提供手段）８０５は、位置情報管理手段８０４が管理している無線タグ１０３の位置情報を用いて、無線タグ１０３を装着している患者の医療に関する様々な情報（医療情報）を提供する。情報提供手段８０５は、例えば、図４のＣＰＵ４０１で動作するプログラムによって実現される。
【００９０】
情報提供手段８０５は、例えば、図３に示すような提供情報を、ＬＡＮ１０６を介して接続された情報端末１１５、又は表示装置１１６に提供（送信）する。
【００９１】
表示制御手段８０６は、例えば、図４の表示部４０７等に様々な情報を表示させる手段であり、例えば、図４のＣＰＵ４０１で動作するプログラムによって実現される。表示制御手段８０６は、例えば、位置情報管理手段８０４等の制御に応じて、フロア情報８１２の登録画面等を表示部４０７に表示させる。或いは、表示制御手段８０６は、患者情報管理手段８０２の制御に応じて、対応情報８１０の登録画面等を表示部４０７に表示させる。さらに、表示制御手段８０６は、情報提供手段８０５が提供する提供情報を、表示部４０７や、外部に接続されたプロジェクタ等の表示装置に表示させるものであっても良い。
【００９２】
操作受付手段８０７は、図４の入力部４０６等を用いて利用者の入力操作を受け付ける手段であり、例えば、図４のＣＰＵ４０１で動作するプログラム等によって実現される。
【００９３】
記憶手段８０８は、患者情報８０９、対応情報８１０、位置情報８１１、及びフロア情報８１２等の様々な情報を記憶する手段であり、例えば、図４のストレージ部４０４、ＲＡＭ４０２、及び図４のＣＰＵ４０１で動作するプログラム等によって実現される。
【００９４】
（外部サーバの機能構成）
外部サーバ１０８は、通信手段８３１、検出情報管理手段８３２等を有する。
【００９５】
通信手段８３１は、外部サーバ１０８をインターネット１０７等のネットワークに接続し、ゲートウェイ１０５や、情報処理装置１１４等と通信を行うための手段である。通信手段８３１は、例えば、図４のネットワークＩ／Ｆ部４０５、及び図４のＣＰＵ４０１で動作するプログラム等によって実現される。
【００９６】
検出情報管理手段８３２は、複数の検出装置１０２から通知される無線タグＩＤと検出装置ＩＤを、ゲートウェイ１０５を介して受信し、検出履歴情報１０９に記憶し、管理する。なお、検出履歴情報１０９は、例えば、外部サーバ１０８のストレージ部４０４等に記憶されるものであっても良いし、ストレージサーバやクラウドサービス等の外部の記憶手段に記憶されるものであっても良い。また、検出履歴情報１０９については後述する。
【００９７】
また、検出情報管理手段８３２は、情報処理装置１１４等からの要求に応じて、検出履歴情報１０９の少なくとも一部を、検出情報として情報処理装置１１４に提供する。検出情報管理手段８３２は、例えば、図４のＣＰＵ４０１で動作するプログラムによって実現される。
【００９８】
（医療情報管理サーバの機能構成）
医療情報管理サーバ１１０は、通信手段８２１、医療情報管理手段８２２等を有する。
【００９９】
通信手段８２１は、医療情報管理サーバ１１０をＬＡＮ１０６等のネットワークに接続し、情報処理装置１１４や、登録端末１１２等と通信を行うための手段である。通信手段８２１は、例えば、図４のネットワークＩ／Ｆ部４０５、及び図４のＣＰＵ４０１で動作するプログラム等によって実現される。
【０１００】
医療情報管理手段８２２は、登録端末１１２等によって登録、更新される医療に関する様々な情報を、医療情報１１１として記憶し、管理する。医療情報１１１は、例えば、医療情報管理サーバ１１０のストレージ部４０４等に記憶されるものであっても良いし、病院１０１内のストレージサーバ等の記憶手段に記憶されるものであっても良い。なお、医療情報１１１については後述する。
【０１０１】
また、医療情報管理手段８２２は、情報処理装置１１４等からの要求に応じて、医療情報１１１を情報処理装置１１４に提供する。医療情報管理手段８２２は、例えば、医療情報１１１をＣＳＶ（Comma-Separated Values）形式のファイル等、情報処理装置１１４で読取り可能な形式で出力するもの等であっても良い。
【０１０２】
（その他の機能構成）
登録端末１１２は、例えば、読取装置１１３や、内蔵のカメラ等を用いて、病院１０１に入院している患者が装着しているリストバンド５１３に印字されたバーコード５１２を読取る。また、登録端末１１２は、登録端末１１２に入力された様々な医療に関する情報を、読取ったバーコード５１２の識別情報（以後、バーコードＩＤと呼ぶ）と共に医療情報管理サーバ１１０に送信し、医療情報の登録、更新を要求する。
【０１０３】
上記の登録端末１１２の機能は、例えば、登録端末１１２のＣＰＵ４０１で動作する登録端末１１２用のプログラム等によって実現される。
【０１０４】
例えば、情報端末１１５は、情報処理装置１１４に要求する提供情報を選択するためのメニューを表示部４０７等に表示させ、利用者によって選択された提供情報を情報処理装置１１４から取得し、取得した提供情報を表示部４０７等に表示する。
【０１０５】
上記の情報端末１１５の機能は、例えば、情報端末１１５のＣＰＵ４０１で動作する情報端末１１５用のプログラム等によって実現される。
【０１０６】
表示装置１１６は、例えば、情報処理装置１１４から、ＬＡＮ１０６等のネットワークを介して提供される提供情報（画像データ）をディスプレイに表示（又は投影面に投影）する。
【０１０７】
＜各情報の例＞
次に、情報処理システム１００で取り扱う情報の例について説明する。
【０１０８】
（外部サーバが管理する情報）
図９は、第１の実施形態に係る外部サーバが管理する情報の例を示す図である。
【０１０９】
図９（ａ）は、検出情報管理手段８３２が管理する検出履歴情報１０９の例を示している。検出履歴情報１０９には、無線タグＩＤ毎に、無線タグＩＤを検出した検出装置１０２の検出装置ＩＤと無線タグＩＤが検出された検出時刻とが対応づけて記憶されている。
【０１１０】
好ましくは、検出履歴情報１０９は、各無線タグＩＤの過去の検出履歴を含む。検出履歴が保存される期間は様々な設定が可能であるが、２４時間以上に亘って検出履歴を保存する場合、検出履歴情報１０９には日付情報等も含まれる。
【０１１１】
図９（ａ）の例では、無線タグＩＤ「ＴＡＧ１０１００１」の無線タグ１０３は、検出装置ＩＤ「０００５」に対応する領域（図２の例では第５領域）から移動していないことが判る。このように、新たな無線タグＩＤが検出されない場合でも、検出装置１０２からは、所定の時間間隔（例えば５分間隔）で検出情報が送信されることが望ましい。
【０１１２】
一方、無線タグＩＤ「ＴＡＧ１０１００３」の無線タグ１０３は、時刻９：３３に、検出装置ＩＤ「００２６」に対応する領域に移動し、時刻９：３４に、検出装置ＩＤ「００２７」に対応する領域に移動したことが判る。このように、検出装置１０２が新たな無線タグＩＤを検出した場合、検出装置１０２から随時、検出情報が送信されることが望ましい。
【０１１３】
図９（ｂ）は、外部サーバ１０８から、情報処理装置１１４に提供される検出情報の一例を示している。情報処理装置１１４に提供される検出情報には、例えば、病院１０１内で検出された複数の無線タグ１０３の無線タグＩＤが最後に検知された時刻と、無線タグＩＤを検出した検出装置１０２の検出装置ＩＤとが含まれる。
【０１１４】
情報処理装置１１４は、この検出情報と、記憶手段８０８に記憶したフロア情報８１２とを用いて、各無線タグを装着した人物１０４の位置を特定することができる。なお、外部サーバ１０８から管理する情報には、無線タグＩＤや検出装置ＩＤしか含まれていないので、万が一、第三者に傍受されても病院１０１の医療に関する情報は漏洩しない。
【０１１５】
図９（ｃ）は、外部サーバ１０８から、情報処理装置１１４に提供される位置情報の別の一例を示している。このように、外部サーバ１０８は、情報処理装置１１４からの要求に応じて、指定された日時に対応する位置情報を提供することもできる。
【０１１６】
（医療情報管理サーバか管理する情報）
図１０は、第１の実施形態に係る医療情報管理サーバが管理する情報の例を示す図である。図１０の例では、医療情報１１１には、患者ＩＤ、バーコードＩＤ、名前、生年月日、診療科、容態情報、診療予定日時、診療場所、カルテ情報等が含まれる。
【０１１７】
「患者ＩＤ」は、患者を識別するための識別情報である。「バーコードＩＤ」は、患者が手首等に装着しているリストバンド５１３に印字されたバーコード５１２の識別情報である。「名前」は、患者の名前である。「生年月日」は、患者の生年月日である。「診療科」は、患者の診療を行う診療科の情報である。
【０１１８】
「容態情報」は、患者の容態を示す情報であり、例えば、入院予定日、退院予定日、病状を示す情報、留意すべき点を示す情報等、患者に関する様々な情報が含まれていても良い。「診療予定日時」は、患者が診療を受ける予定の日時を示す情報である。「診療場所」は、患者が診療を受ける場所を示す情報である。「カルテ情報」は、患者のカルテを参照するためのリンク情報等である。
【０１１９】
なお、図１０に示す医療情報１１１は、あくまで一例である。医療情報１１１には、病院１０１内の医療に関する様々な情報が含まれていても良い。
【０１２０】
（情報処理装置が管理する情報）
図１１、１２は、第１の実施形態に係る情報処理装置が管理する情報の例を示す図である。
【０１２１】
図１１（ａ）は、患者情報管理手段８０２が管理する対応情報８１０の例を示している。図１１（ａ）の例では、対応情報８１０には、図５に示すリストバンド５１３に装着された無線タグ１０３の無線タグＩＤと、リストバンド５１３に印字されたバーコード５１２のバーコードＩＤとが対応づけて記憶されている。
【０１２２】
この対応情報８１０は、例えば、リストバンド５１３を製造したメーカ等から提供されるものであっても良いし、担当者が登録端末１１２等を用いて予め登録しておくもの等であっても良い。
【０１２３】
図１１（ｂ）は、患者情報管理手段８０２が管理する患者情報８０９の例を示している。患者情報８０９は、患者情報管理手段８０２が、対応情報８１０に基づいて無線タグＩＤと図１０に示す医療情報１１１とを対応づけて記憶手段８０８に記憶した情報である。この患者情報８０９により、情報処理装置１１４は、無線タグＩＤを用いて、患者の医療に関する様々な情報を利用することができるようになる。
【０１２４】
図１２（ａ）は、位置情報管理手段８０４が管理するフロア情報８１２の例を示している。フロア情報８１２には、例えば、検出装置ＩＤ、フロア名、領域情報、部屋情報、レイアウト図、配置情報等の情報が含まれる。
【０１２５】
「検出装置ＩＤ」は、検出装置１０２の識別情報である。「フロア名」は、病院１０１内で検出装置１０２が設置されたフロアを特定するための情報である。「領域情報」は、検出装置１０２が設置されたフロア内において、検出装置１０２が設置された領域を特定するための情報である。
【０１２６】
「部屋情報」は、検出装置１０２が設置されたフロア内において、検出装置１０２が設置された部屋を示す情報である。「レイアウト図」は、例えば、図２、３に示すレイアウト図２０１のように、検出装置１０２が設置されたフロアの各部屋の配置等を示す画像データである。図１２（ａ）の例では、「レイアウト図」には、フロアの各部屋の配置等を示す画像データへのリンク情報等が記憶されている。
【０１２７】
「配置情報」は、例えば、図２に示すような、複数の検出装置１０２の検出範囲２０２を示す複数の領域の配置を示す情報である。図１２（ａ）の例では、「配置情報」には、複数の領域の配置を示す情報へのリンク情報が記憶されている。
【０１２８】
なお、領域情報、及び配置情報は、例えば、検出装置１０２が設置された位置を示す座標情報等であっても良い。
【０１２９】
要するに、フロア情報８１２には、病院１０１内に設置された複数の検出装置１０２の検出装置ＩＤと、各検出装置１０２が設置された位置を特定するための情報とが対応づけて記憶されているものであれば良い。
【０１３０】
図１２（ｂ）は、位置情報管理手段８０４が管理する位置情報８１１の例を示している。図１２（ｂ）に示す位置情報８１１は、検出情報取得手段８０３が外部サーバ１０８から取得した図９（ｂ）に示す検出情報と、図１２（ａ）に示すフロア情報８１２とを対応づけて記憶した情報である。
【０１３１】
この位置情報８１１により、位置情報管理手段８０４は、例えば、時刻「９：４５」に、無線タグＩＤ「１０１０００００１」の無線タグ１０３を装着した患者が、第５領域（個室Ａ）にいることを、容易に管理できるようになる。
【０１３２】
＜処理の流れ＞
続いて、本実施形態に係る情報処理装置１１４による情報提供方法の処理の流れについて説明する。
【０１３３】
（情報処理装置の処理）
図１３は、第１の実施形態に係る情報処理装置の処理の概要を示すフローチャートである。
【０１３４】
ステップＳ１３０１において、情報処理装置１１４の患者情報管理手段８０２は、医療情報管理サーバ１１０等から医療情報１１１を取得する。
【０１３５】
ステップＳ１３０２において、患者情報管理手段８０２は、記憶手段８０８に記憶された対応情報８１０に基づいて、病院１０１内の患者が装着している無線タグ１０３のタグＩＤと、取得した医療情報１１１とを対応づけて管理する。例えば、患者情報管理手段８０２は、図１１（ｂ）に示すような患者情報８０９を作成し、記憶手段８０８に記憶して、管理する。
【０１３６】
ステップＳ１３０３において、情報処理装置１１４の検出情報取得手段８０３は、外部サーバ１０８から、図９（ｂ）に示すような検出情報を取得する。
【０１３７】
ステップＳ１３０４において、情報処理装置１１４の位置情報管理手段８０４は、ステップＳ１３０３で取得した検出情報を用いて、病院１０１内の患者が装着している無線タグ１０３の位置情報を管理する。例えば、位置情報管理手段８０４は、ステップＳ１３０３で取得した検出情報と、記憶手段８０８に記憶したフロア情報８１２を対応づけて、図１２（ｂ）に示すような位置情報８１１を作成し、記憶手段８０８に記憶して、管理する。
【０１３８】
ステップＳ１３０５において、情報処理装置１１４の情報提供手段８０５は、位置情報管理手段８０４が管理する位置情報８１１を用いて、無線タグ１０３を装着している患者の医療に関する情報（医療情報）を提供する。例えば、情報提供手段８０５は、図３に示すような情報を、情報端末１１５、表示装置１１６等に送信し、表示させる。
【０１３９】
続いて、情報処理システム１００の処理の流れについて説明する。
【０１４０】
（医療情報の登録、更新処理）
図１４は、第１の実施形態に係る医療情報の登録、更新処理の例を示すシーケンス図である。
【０１４１】
例えば、病院１０１に患者が入院するとき、入院を受け付ける担当者は、読取装置１１３等で患者のリストバンド５１３のバーコードの読取り操作を行う。これにより、入院受付用の登録端末Ａ１１２ａは、リストバンド５１３のバーコード（バーコードＩＤ）を読取る（ステップＳ１４０１）。
【０１４２】
また、入院を受け付ける担当者は、例えば、患者ＩＤ、名前、生年月日等の患者の情報を登録端末Ａ１１２ａに入力する。これにより、登録端末Ａ１１２ａは、患者の情報の入力を受け付ける（ステップＳ１４０２）。
【０１４３】
登録端末Ａ１１２ａは、患者の情報の入力を受け付けると、リストバンド５１３から読取ったバーコードＩＤ、及び受け付けた患者の情報を含む登録要求を、医療情報管理サーバ１１０に送信する（ステップＳ１４０３）。
【０１４４】
登録端末Ａ１１２ａから登録要求を受信した医療情報管理サーバ１１０の医療情報管理手段８２２は、登録要求に含まれるバーコードＩＤと、患者の情報とを対応づけて医療情報１１１に記憶（登録）する（ステップＳ１４０４）。
【０１４５】
上記のステップＳ１４０１〜Ｓ１４０４の処理は、例えば、病院１０１に入院する患者の各々に対して実行される。
【０１４６】
また、入院後、患者が医師の診療を受けるとき、診療を行う医師は、例えば、読取装置１１３で、患者のリストバンド５１３のバーコードの読取り操作を行う。これにより、診療情報の入力用の登録端末Ｂ１１２ｂは、患者のリストバンド５１３のバーコード（バーコードＩＤ）を読取る（ステップＳ１４０５）。
【０１４７】
また、患者の診療を行う医師は、例えば、患者の様々な医療に関する情報を含む診療情報を登録端末Ｂ１１２ｂに入力する。これにより、登録端末Ｂ１１２ｂは、患者の診療情報の入力を受け付ける（ステップＳ１４０６）。
【０１４８】
登録端末Ｂ１１２ｂは、患者の診療情報の入力を受け付けると、患者のリストバンド５１３から読取ったバーコードＩＤ、及び受け付けた患者の診療情報を含む更新要求を、医療情報管理サーバ１１０に送信する（ステップＳ１４０７）。
【０１４９】
登録端末Ｂ１１２ｂから更新要求を受信した医療情報管理サーバ１１０の医療情報管理手段８２２は、更新要求に含まれるバーコードＩＤに対応する診療情報を、受信した診療情報で更新する。
【０１５０】
上記のステップＳ１４０５〜Ｓ１４０８の処理は、例えば、医師による診療や、看護師等による投薬等の医療が行われる毎に実行される。
【０１５１】
情報処理装置１１４の患者情報管理手段８０２は、例えば、所定の時間間隔（例えば３時間間隔）で、医療情報管理サーバ１１０に医療情報の取得を要求する（ステップＳ１４０９）。
【０１５２】
情報処理装置１１４から医療情報の取得要求を受信した医療情報管理サーバ１１０の医療情報管理手段８２２は、医療情報１１１を要求元の情報処理装置１１４に送信する（ステップＳ１４１０）。
【０１５３】
医療情報管理サーバ１１０から医療情報１１１を受信した情報処理装置１１４の患者情報管理手段８０２は、無線タグ１０３の無線タグＩＤと、受信した医療情報１１１とを対応づけて患者情報８０９として、記憶手段８０８に記憶し、管理する。
【０１５４】
（検出情報の取得処理、及び情報の提供処理）
病院１０１内の患者が装着している無線タグ１０３の各々は、自己の無線タグＩＤを所定の時間間隔（例えば３０秒間隔）で送信する（ステップＳ１５０１）。
【０１５５】
病院１０１内に設置されている検出装置１０２の各々は、無線タグ１０３から送信された無線タグＩＤを検出（受信）すると、検出した情報を、ゲートウェイ１０５を介して外部サーバ１０８に送信する（ステップＳ１５０２、Ｓ１５０３）。このとき、検出装置１０２が送信する情報には、検出装置１０２が検出した無線タグＩＤと、自装置の検出装置ＩＤとが含まれる。
【０１５６】
好ましくは、検出装置１０２は、新たな無線タグＩＤを検出すると、検出された無線タグＩＤと自装置の検出装置ＩＤとを外部サーバ１０８に送信する。また、検出装置１０２は、既に検出済の無線タグＩＤを検出した場合、所定の時間間隔（例えば５分間隔）で、検出された無線タグＩＤと自装置の検出装置ＩＤとを外部サーバ１０８に送信する。
【０１５７】
検出装置１０２から送信された検出情報を受信した外部サーバ１０８の検出情報管理手段８３２は、受信した情報で検出履歴情報１０９を更新する（ステップＳ１５０４）。
【０１５８】
上記のステップＳ１５０１〜Ｓ１５０４の処理を継続的に実行することにより、外部サーバ１０８は、病院１０１内にある無線タグ１０３の位置に係る情報（検出履歴情報１０９）を蓄積し、管理する。
【０１５９】
情報処理装置１１４の検出情報取得手段８０３は、所定の時間間隔（例えば１分間隔）で、外部サーバ１０８に検出情報の取得要求を送信する（ステップＳ１５０５）。
【０１６０】
情報処理装置１１４から検出情報の取得要求を受信した外部サーバ１０８の検出情報管理手段８３２は、要求元の情報処理装置１１４に、例えば、図９（ｂ）に示すような検出情報を送信する（ステップＳ１５０６）。
【０１６１】
情報処理装置１１４の検出情報取得手段８０３が外部サーバ１０８から検出情報を受信（取得）すると、情報処理装置１１４の位置情報管理手段８０４は、受信した検出情報を用いて、記憶手段８０８に記憶した位置情報８１１を更新する。
【０１６２】
上記のステップＳ１５０５〜Ｓ１５０７の処理を繰り返し実行することにより、情報処理装置１１４が記憶する位置情報８１１は、所定の時間間隔で更新される。
【０１６３】
病院１０１の医療関係者（例えば、医師、看護師等）は、情報端末１１５を用いて、情報処理装置１１４が提供する提供情報を利用することができる。例えば、情報端末１１５で、情報処理システム１００に対応するアプリを実行すると、図１６に示すような表示情報メニューが表示される。
【０１６４】
図１６は、第１の実施形態に係る情報端末の表示画面の例を示す図である。図１６の例では、情報端末１１５の表示画面１６００は、表示させる情報を選択するためのプルダウンメニュー１６０１、表示させるフロア名を選択するためのプルダウンメニュー１６０２、及び情報の表示を実行させるためのボタン１６０３等が含まれる。
【０１６５】
好ましくは、情報端末１１５の表示画面１６００には、更新間隔や日時等を指定するためのプルダウンメニュー等も含まれる。
【０１６６】
図１６の例では、表示させる情報として、「患者情報（容態情報＋診療予定情報）」が選択されており、フロア名として「３Ｆ（３階）」が選択されている。医療関係者は、ボタン１６０３を選択することにより、例えば、図３に示すような提供情報を、表示部４０７に表示させることができる。
【０１６７】
図１５に戻って、シーケンス図の説明を続ける。
【０１６８】
情報端末１１５は、例えば、図１６に示すような表示画面１６００を用いて、表示する情報の入力操作を受け付けると（ステップＳ１５０８）、入力された情報の取得を要求する取得要求を、情報処理装置１１４に送信する（ステップＳ１５０９）。
【０１６９】
情報端末１１５から、情報の取得要求を受信した情報処理装置１１４の情報提供手段８０５は、記憶手段８０８に記憶された位置情報８１１と患者情報８０９とを用いて、例えば、図３に示すような提供情報を作成する（ステップＳ１５１０）。また、情報提供手段８０５は、作成した提供情報を、要求元の情報端末１１５に送信する（ステップＳ１５１１）。
【０１７０】
好ましくは、情報提供手段８０５は、所定の時間間隔、例えば、図１６の表示画面１６００で「更新間隔」が指定されたときは指定された時間間隔、指定されていないときは既定の時間間隔（例えば１分間隔）で、提供情報を更新し、情報端末１１５に送信する。
【０１７１】
情報処理装置１１４から、提供情報を受信した情報端末１１５は、受信した提供情報（例えば図３に示すような情報）を表示部４０７に表示させる。
【０１７２】
このように、本実施形態に係る情報処理装置１１４によれば、医療情報管理サーバ１１０と外部サーバ１０８とを用いて、医療情報１１１の流出を抑制しつつ、位置情報と医療情報とを容易に提供することができるようになる。
【０１７３】
これにより、情報処理システム１００は、病院１０１の患者がどこにいるかを管理することができるだけではなく、例えば、どんな容態の患者がどこにいるか、或いは、次に診療が予定されている患者がどこにいるか等、様々な医療情報を提供することができる。
【０１７４】
［第２の実施形態］
第２の実施形態では、情報処理装置１１４が、例えば、ナースコール等の呼出情報を管理する呼出管理装置と連携して、情報を提供する場合の例について説明する。
【０１７５】
例えば、ナースコール等呼出が同時に複数の場所で発生した場合、看護師等は、どの患者を優先させるべきか判断に迷う場合がある。特に、共用のスペース（例えばトイレ等）で呼出が行われた場合、従来の技術では、トイレに誰がいるのか判らないので、呼出の重要度（緊急度）を判断することが困難であった。
【０１７６】
第２の実施形態に係る情報処理システム１００では、呼出が行われた場所と共に、その場所にいる患者の情報、及び患者の医療情報を表示させることにより、呼出の重要度（緊急度）の判断を容易にすることができる。
【０１７７】
＜機能構成＞
図１７は、第２の実施形態に係る情報処理システムの機能構成図である。第２の実施形態に係る情報処理システム１００は、図８に示す第１の実施形態に係る情報処理システム１００の機能構成に加えて、呼出装置１７０１、呼出管理装置１７０２、及び呼出情報取得手段１７０３等を有している。なお、その他の機能構成は、図８に示す第１の実施形態に係る情報処理システム１００の機能構成と同様なので、ここでは差分を中心に説明を行う。
【０１７８】
呼出装置１７０１は、例えば、病院１０１内のベッドや、トイレ等に対応して設けられ、例えば、ボタンを押すことにより、看護師等を呼び出すための装置である。呼出管理装置１７０２は、呼出装置１７０１のボタンが押されると、ボタンが押された呼出装置１７０１の位置を、表示装置等に表示させて、看護師等に通知する装置である。なお、呼出装置１７０１、及び呼出管理装置１７０２は、病院１０１内に設置されている既存のナースコールシステム等を利用することができる。
【０１７９】
また、本実施形態に係る情報処理装置１１４は、呼出情報取得手段（第２の取得手段）１７０３を有している。呼出情報取得手段１７０３は、呼出装置１７０１、又は呼出管理装置１７０２から、呼出情報を取得して、呼出が行われた場所を特定する手段であり、例えば、図４のＣＰＵ４０１で動作するプログラムによって実現される。
【０１８０】
ここでは、呼出情報取得手段１７０３は、呼出が行われると、呼出管理装置１７０２から、呼出が行われた場所に関する情報を含む呼出の検知情報が通知されるものとして、以下の説明を行う。
【０１８１】
＜処理の流れ＞
図１８は、第２の実施形態に係る情報の提供処理の例を示すシーケンス図である。図１８の開始時点において、例えば、図１５に示す情報の提供処理により、情報処理装置１１４から情報端末１１５に対して、所定の時間間隔で提供情報の送信が行われているものとする（ステップＳ１５１１、Ｓ１５１２）。
【０１８２】
呼出管理装置１７０２は、呼出装置１７０１により呼出が行われたことを検知すると、呼出を検知したことを示す検知情報を情報処理装置１１４に通知する（ステップＳ１８０１）。この呼出の検知情報には、呼出が行われた場所を示す情報（例えば部屋情報等）が含まれているものとする。また、呼出管理装置１７０２から呼出の検知情報を受信した情報処理装置１１４の呼出情報取得手段１７０３は、受信した呼出の検知情報に基づいて、呼出が行われたこと、及び呼出が行われた場所の情報を示す情報を、情報提供手段８０５に通知する。
【０１８３】
通知を受けた情報提供手段８０５は、図１８のステップＳ１５１１で情報端末１１５に通知した提供情報に、呼出情報を追加、提供情報を更新する（ステップＳ１８０２）。また、情報提供手段８０５は、更新した提供情報を情報端末１１５に送信する（ステップＳ１８０３）。
【０１８４】
情報端末１１５は、情報処理装置１１４から通知された提供情報を、表示部４０７に表示させる（ステップＳ１８０４）。このとき、情報端末１１５の表示部４０７に表示される表示画面の例を図１９に示す。
【０１８５】
図１９は、第２の実施形態に係る情報処理装置が提供する情報の例を示す図である。図１９の例では、情報処理装置１１４の情報提供手段８０５が提供する情報には、図３で説明した各情報に加えて、呼出が行われた場所を示す情報１９０１、１９０２が表示されている。
【０１８６】
好ましくは、呼出が行われた場所を示す情報１９０１、１９０２には、呼出が行われた時刻の情報が含まれる。
【０１８７】
図１９の例では、ＷＣ１において９：５０に呼出が行われたこと、ＷＣ１にはＥＥさん（患者ＩＤ「ＰＩＤ３００８」）がいること、ＥＥさんの容態は、「下痢あり」であること等が表示されている。
【０１８８】
このように、本実施形態に係る情報処理システム１００では、患者のベッド以外の共用スペースで呼出が行われた場合でも、その場所にいる患者、及び患者の容態を示す情報を容易に判断することができるようになる。
【０１８９】
また、図１９の例では、個室Ａにおいて９：５１に呼出が行われたこと、個室ＡにはＸＸさん（患者ＩＤ「ＰＩＤ３００１」）がいること、ＸＸさんの容態は「感染症」で「面会謝絶」であること、等の情報が表示されている。
【０１９０】
このように、本実施形態では、病院１０１内で呼出が行われた場合、呼出を行った患者の容態を示す情報が提供されるので、看護師等は、呼出の重要度、緊急度等を容易に判断できるようになる。
【０１９１】
図１８に戻って、シーケンス図の説明を続ける。
【０１９２】
呼出管理装置１７０２は、呼出装置１７０１により呼出が停止されたことを検知すると、呼出が停止されたことを示す呼出の停止情報を情報処理装置１１４に通知する（ステップＳ１８０５）。この呼出の停止情報には、呼出が停止された場所を示す情報（例えば部屋情報等）が含まれているものとする。また、呼出管理装置１７０２から呼出の停止情報を受信した情報処理装置１１４の呼出情報取得手段１７０３は、受信した呼出の停止情報に基づいて、呼出が停止されたこと、及び呼出が停止された場所の情報を示す情報を、情報提供手段８０５に通知する。
【０１９３】
通知を受けた情報提供手段８０５は、提供情報から、呼出が停止された呼出情報を削除する（ステップＳ１８０６）。また、情報提供手段８０５は、更新した提供情報を情報端末１１５に送信する（ステップＳ１８０７）。
【０１９４】
情報端末１１５は、情報処理装置１１４から通知された提供情報を、表示部４０７に表示させる。（ステップＳ１８０８）。
【０１９５】
このように、本実施形態に係る情報処理システム１００では、第１の実施形態で提供される提供情報に加えて、呼出情報が提供される。
【０１９６】
これにより、本実施形態に係る情報処理システム１００では、呼出が行われた場所と共に、その場所にいる患者の情報、及び患者の医療情報を表示されるので、利用者は、呼出の重要度（緊急度）を容易に判断することができるようになる。
【０１９７】
［第３の実施形態］
第３の実施形態では、情報処理システム１００が、診療や投薬等の医療が行われる場所おける、患者、医療関係者（医師、看護師等）、薬剤等の情報を提供する場合の例について説明する。
【０１９８】
図２０は、第３の実施形態に係る情報処理装置が管理する情報の例を示す図である。
【０１９９】
図２０（ａ）に示す対応情報８１０は、図１１（ａ）に示す第１の実施形態に係る対応情報８１０に加えて、「医師ＩＤ」、「看護師ＩＤ」、「薬剤ＩＤ」等の情報が、無線タグＩＤと対応づけられて記憶されている。
【０２００】
「医師ＩＤ」は、病院１０１内の医師を識別するための識別情報である。「看護師ＩＤ」は、病院１０１内の看護師等を識別するための識別情報である。薬剤ＩＤは、病院１０１内の薬剤を識別するための識別情報である。なお、医師及び看護師は、医療を行う医療関係者の一例である。
【０２０１】
図２０（ｂ）に示す患者情報８０９は、病院１０１内の患者が装着している無線タグ１０３の無線タグＩＤに対応づけて、患者の情報、医療が行われる時間及び場所の情報、医療を行う医療関係者の情報、及び医療に用いられる薬剤の情報等が含まれる。
【０２０２】
図２０（ｂ）において、患者ＩＤ、バーコードＩＤ、患者名は、患者の情報の一例である。医療担当者ＩＤ、医療担当者の無線タグＩＤは、医療関係者の情報の一例である。投薬する薬剤ＩＤ、薬剤の無線タグＩＤは、薬剤の情報の一例である。
【０２０３】
なお、図２０（ｂ）に示す患者情報８０９の「医療予定場所」の括弧内の情報は、医療予定場所に設置された検出装置１０２の検出装置ＩＤを示している。このように、「医療予定場所」の情報には、医療予定場所に設置された検出装置１０２の検出装置ＩＤが含まれていても良い。
【０２０４】
このように、本実施形態では、情報処理装置１１４の患者情報管理手段８０２は、病院１０１内の患者の医療を行う医療関係者が装着している無線タグ１０３の無線タグＩＤを管理している。
【０２０５】
好ましくは、患者情報管理手段８０２は、病院１０１内の患者の医療に用いられる薬剤に装着されている無線タグ１０３の無線タグＩＤを管理している。
【０２０６】
＜提供情報の例＞
図２１は、第３の実施形態に係る情報端末の表示画面の例を示す図である。
【０２０７】
図２１（ａ）は、本実施形態に係る情報端末１１５の表示画面２１０１の例を示している。図２１（ａ）の例では、表示画面２１０１には、「部屋情報」を選択するためのプルダウンメニュー２１１１、「表示情報」を選択するためのプルダウンメニュー２１１２、「日時指定」を行うためのプルダウンメニュー２１１３、情報を表示させるためのボタン２１１４等が含まれる。
【０２０８】
情報端末１１５の利用者（例えば看護師）は、「部屋情報」を選択するためのプルダウンメニュー２１１１を用いて、情報を表示させたい場所（例えば医療が行われる場所）を指定することができる。
【０２０９】
また、利用者は、「表示情報」を選択するためのプルダウンメニュー２１１２を用いて、表示させたい表示情報の種類を選択することができる。表示情報の種類には、例えば、患者の適合情報、医療関係者の適合情報、薬剤の適合情報、投薬３点確認情報等が含まれる。
【０２１０】
さらに、利用者は、「日時指定」を行うためのプルダウンメニュー２１１３を用いて、表示対象となる日時を指定することができる。日時は、通常は現在時刻が指定されるが、過去の日時を指定して、過去の医療が適正に行われたかどうかを確認することもできる。ここでは、現在時刻を指定するものとして、以下の説明を行う。
【０２１１】
利用者は、上記の各プルダウンメニューを用いて、表示させたい表示情報を指定した後、情報を表示させるためのボタン２１１４を選択する。これにより、情報端末１１５は、情報処理装置１１４から必要な情報を取得、取得した情報に基づいて、例えば、図２１（ｂ）に示すような表示画面２１０２を表示部４０７に表示させる。
【０２１２】
図２１（ｂ）の例では、表示情報として患者適合情報が表示されている。患者適合情報は、指定された場所（例えば医療が行われる場所）にいる患者が、医療の対象となる患者であるか否かを示す情報である。この患者適合情報には、例えば、図２１（ｂ）に示すように、部屋名、日時、医療対象の患者の無線タグＩＤ、個室Ａにいる患者の無線タグＩＤ、及び判定結果「ＯＫ」等が表示されている。
【０２１３】
「医療対象の患者の無線タグＩＤ」は、例えば、図２０（ｂ）の患者の無線タグＩＤに対応している。また、「個室Ａにいる患者の無線タグＩＤ」は、情報処理装置１１４の位置情報管理手段８０４によって管理されている位置情報により、個室Ａにいると判断された患者が装着している無線タグ１０３の無線タグＩＤである。
【０２１４】
この２つの無線タグＩＤが一致している場合、現在、個室Ａにいる患者が、患者情報８０９に記憶されている医療の対象となる患者であると判断することができるので、判定結果として「ＯＫ」が表示されている。
【０２１５】
一方、「医療対象の患者の無線タグＩＤ」と「個室Ａにいる患者の無線タグＩＤ」が一致しない場合、判定結果として「ＮＧ」が表示される。
【０２１６】
なお、本実施形態では、位置情報管理手段８０４が、図１１（ｂ）に示すような位置情報８１１を作成することは必須ではない。例えば、位置情報管理手段８０４は、検出情報取得手段８０３により、外部サーバ１０８から取得した図９（ｂ）に示すような検出情報を用いて、無線タグ１０３の位置情報を管理するものであっても良い。
【０２１７】
この場合、例えば、図２０（ｂ）に示すように、患者情報８０９の「医療予定場所」等に、医療予定場所に設置された検出装置１０２の検出装置ＩＤを記憶しておくと良い。
【０２１８】
情報提供手段８０５は、例えば、図２０（ｂ）に示すような患者情報８０９を用いて、「個室Ａ」に設置されている検出装置ＩＤ「００００５」と、医療の対象となる患者の無線タグＩＤ「１０１０００００１」を特定することができる。
【０２１９】
また、情報提供手段８０５は、検出情報取得手段８０３が、外部サーバ１０８から取得した検出情報により、検出装置ＩＤ「００００５」が設置されているエリア（個室Ａ）にいる患者の無線タグＩＤを特定することができる。
【０２２０】
これにより、情報提供手段８０５は、「医療対象の患者の無線タグＩＤ」と「個室Ａにいる患者の無線タグＩＤ」とを、情報端末１１５等に提供することができるようになる。
【０２２１】
＜処理の流れ＞
図２２は、第３の実施形態に係る情報処理システムの処理の例を示すシーケンス図である。ここでは、表示情報として、投薬３点確認情報を表示させる場合の例について説明する。
【０２２２】
投薬３点確認は、例えば、患者に投薬を行う際に、投薬が行われる患者、投薬を行う医療関係者（例えば看護師）、及び投薬される薬剤の３点が正しいかどうかを確認する作業であり、従来は、例えば、バーコード等を用いて行われていた。
【０２２３】
情報端末１１５の利用者（例えば、投薬を行う看護師）は、例えば、図２１（ｃ）に示すような情報端末１１５の表示画面２１０３に、部屋情報を入力し、表示情報として「投薬３点確認情報」を選択して、「情報を表示」ボタンを選択する。これにより、情報端末１１５は、表示する情報の入力を受け付ける（ステップＳ２２０１）。
【０２２４】
表示する情報の入力を受け付けた情報端末１１５は、情報処理装置１１４に対して、情報の取得要求を送信する（ステップＳ２２０２）。この情報の取得要求には、ステップＳ２２０１で入力を受け付けた、部屋情報「個室Ａ」、表示情報「投薬３点確認情報」、及び日時指定「現在時刻」等の情報が含まれる。
【０２２５】
情報端末１１５から、上記の情報の取得要求を受信した情報処理装置１１４の情報提供手段８０５は、例えば、投薬３点確認を行うために必要な情報を情報端末１１５に送信（提供）する（ステップ２２０３）。
【０２２６】
このとき、送信される情報には、例えば、部屋Ａで現在時刻に投薬が予定されている「患者の無線タグＩＤ」、「医療担当者の無線タグＩＤ」、「薬剤の無線タグＩＤ」、及び位置情報管理手段８０４が管理する「個室Ａにある無線タグの無線タグＩＤ」等が含まれる。
【０２２７】
この場合、情報端末１１５は、情報処理装置１１４から受信した「患者の無線タグＩＤ」、「医療担当者の無線タグＩＤ」、「薬剤の無線タグＩＤ」が、「個室Ａにある無線タグの無線タグＩＤ」と比較することにより、適合性を判断することができる。
【０２２８】
また、別の一例として、情報提供手段８０５は、上記の各情報を用いて、患者、医療担当者、及び薬剤の適合性を判断し、判断された結果を情報端末１１５に送信するものであっても良い。
【０２２９】
要するに、情報処理装置１１４の情報提供手段８０５は、情報端末１１５が投薬３点確認の適合性を判断するために必要な情報を提供するものであれば良い。
【０２３０】
情報処理装置１１４から、投薬３点確認用の情報を受信した情報端末１１５は、受信した情報に基づいて、患者、医療担当者、薬剤の適合性を判断し（ステップＳ２２０４）、判定結果を示す表示画面を表示させる（ステップＳ２２０５）。このとき、表示される投薬３点確認情報の表示画面の例を、図２１（ｄ）に示す。
【０２３１】
図２１（ｄ）の例では、投薬３点確認情報の表示画面２１０４には、患者、医療担当者、及び薬剤の無線タグＩＤが一致したか否かを示す情報と、判定結果が示されている。なお、患者、医療担当者、及び薬剤の無線タグＩＤの全てが一致した場合、判定結果は「ＯＫ」となる。一方、患者、医療担当者、及び薬剤の無線タグＩＤのうち、１つでも一致しない場合、判定結果は「ＮＧ」となる。
【０２３２】
情報処理装置１１４の情報提供手段８０５は、情報端末１１５から「患者適合情報」を要求された場合、患者の医療が行われる場所にいる患者が、その場所で医療が行われる予定の患者であるか否かを判断するための情報を提供する。
【０２３３】
また、情報提供手段８０５は、情報端末１１５から「医療担当者適合情報」を要求された場合、患者の医療が行われる場所にいる医療担当者が、その場所で医療を行う予定の医療担当者であるか否かを判断するための情報を、情報端末１１５に提供する。
【０２３４】
さらに、情報提供手段８０５は、情報端末１１５から「薬剤適合情報」を要求された場合、患者の医療が行われる場所にある薬剤が、その場所で医療に用いられる予定の薬剤であるか否かを判断するための情報を、情報端末１１５に提供する。
【０２３５】
さらにまた、情報提供手段８０５は、情報端末１１５から「投薬３点確認情報」を要求された場合、患者の医療が行われる場所の患者、医療担当者、及び薬剤の適合性を判断するための情報を、情報端末１１５に提供する。
【０２３６】
なお、図２１（ｂ）、（ｄ）に示すような表示画面は、情報処理装置１１４の情報提供手段８０５が生成し、情報端末１１５や表示装置１１６等に表示させるものであっても良い。
【０２３７】
［第４の実施形態］
第４の実施形態では、第３の実施形態のより具体的な一例として、病院１０１内で行われる手術が行われる場所に対応する、患者、医師、看護師、薬剤、機器（医療機器等）等の適合性を判断する場合の例について説明する。
【０２３８】
図２３は、第４の実施形態に係る対応情報の例を示す図である。図２３に示す対応情報８１０は、図２０に示す第３の実施形態に係る対応情報に加えて、「機器ＩＤ」等の情報を含んでいる。「機器ＩＤ」は、病院１０１内の医療に用いられる様々な機器に装着された無線タグ１０３の無線タグＩＤである。
【０２３９】
図２４は、第４の実施形態に係る患者情報の例を示す図である。図２４に示す患者情報８０９は、図２０に示す第３の実施形態の患者情報に加えて、手術ＩＤ、手術室、手術予定日時、機器ＩＤ、機器の無線タグＩＤ等の情報が含まれている。なお、本実施形態に係る患者情報８０９も、図２０に示すような薬剤ＩＤ、薬剤の無線タグＩＤ等の情報をさらに含んでいても良い。
【０２４０】
手術ＩＤ、手術室、手術予定日時等の情報は、手術の予定情報であり、病院１０１内で行われる医療の情報の一例である。
【０２４１】
＜提供情報の例＞
図２５は、第４の実施形態に係る情報端末の表示画面の例を示す図である。
【０２４２】
図２５（ａ）は、本実施形態に係る情報端末１１５の表示画面２５０１の例を示している。図２５（ａ）の例では、表示画面２５０１には、第３の実施形態と同様に、「部屋情報」、「表示情報」、「日時指定」等を選択するためのプルダウンメニュー、及び情報を表示させるためのボタン等が含まれる。
【０２４３】
また、本実施形態に係る表示画面２５０１には、表示情報の更新間隔を選択するためのプルダウンメニュー２５１１が含まれる。本実施形態では、情報処理装置１１４の情報提供手段８０５は、指定された更新間隔で提供情報を情報端末１１５に送信し、情報端末１１５は、表示情報を更新する。手術は、投薬や診療等の医療行為と比較して、長い時間をかけて、多くの医療関係者、医療機器により行われることが多いため、ここでは、継続的に手術の適合性の情報を提供することを想定している。
【０２４４】
利用者は、各プルダウンメニューを用いて、表示させたい表示情報を指定した後、情報を表示させるためのボタンを選択することにより、例えば、図２５（ｂ）に示すような表示画面２５０２が表示される。
【０２４５】
図２５（ｂ）の例では、手術適合情報の表示画面２５０２の例が示されている。この表示画面２５０２には、例えば、部屋名、日時、及び患者の無線タグＩＤ、医師の無線タグＩＤ、看護師の無線タグＩＤ、機器の無線タグＩＤが一致しているか否かを示す情報、及び判定結果等が表示されている。また、この表示画面２５０２は、例えば、終了ボタン２５２１が選択されるまで、指定された更新間隔（例えば５分間隔）で、継続的に更新される。
【０２４６】
図２５（ｃ）は、更新された手術適合情報の表示画面２５０３の例が示されている。図２５（ｃ）の例では、看護師の無線タグＩＤが「不一致」となり、判定結果として「ＮＧ」が表示されている。
【０２４７】
このように、本実施形態に係る情報処理システム１００では、患者、医師、看護師、機器等の無線タグの位置情報に基づいて、継続的に手術（医療の一例）の適合性を示す情報が更新され、提供される。
【０２４８】
これにより、情報処理システム１００は、例えば、手術中に、医師、看護師、機器等が入れ替わった場合でも、新たな手術の適合情報を随時、継続的に提供することができる。
【０２４９】
［第５の実施形態］
第５の実施形態では、情報処理装置１１４が、過去の日時に対応する提供情報を提供する場合の例について説明する。
【０２５０】
図２６は、第５の実施形態に係る情報端末の表示画面の例を示す図である。図２６に示す情報端末１１５の表示画面２６００は、図１６に示す第１の実施形態に係る表示画面１６００において、「日時指定」に過去の日時が指定された場合の例を示している。
【０２５１】
表示画面２６００の日時指定のプルダウンメニューには、情報処理システム１００で表示可能な過去の日時のみが選択可能に表示されることが望ましい。
【０２５２】
＜処理の流れ＞
図２７は、第５の実施形態に係る情報処理システムの処理の例を示すシーケンス図である。
【０２５３】
例えば、図２６に示す表示画面２６００において、情報端末１１５の利用者が「情報を表示」ボタンを選択すると、情報端末１１５は、表示する情報の入力を受け付ける（ステップＳ２７０１）。
【０２５４】
情報端末１１５は、過去の日時が指定された表示する情報の入力を受け付けると、情報処理装置１１４に、過去の日時が指定された情報の取得要求を送信する（ステップＳ２７０２）。
【０２５５】
過去の日時が指定された情報の取得要求を受信した情報処理装置１１４の検出情報取得手段８０３は、外部サーバ１０８に過去の日時が指定された検出情報の取得要求を送信する（ステップＳ２７０３）。
【０２５６】
検出情報の取得要求を受信した外部サーバ１０８は、指定された日時の検出情報を情報処理装置１１４に送信する（ステップＳ２７０４）。
【０２５７】
外部サーバ１０８から検出情報を受信した情報処理装置１１４の位置情報管理手段８０４は、過去の日時における位置情報８１１を作成する（ステップＳ２７０５）。
【０２５８】
また、情報処理装置１１４の患者情報管理手段８０２は、過去の日時が指定された医療情報の取得要求を医療情報管理サーバ１１０に送信する（ステップＳ２７０６）。
【０２５９】
医療情報の取得要求を受信した医療情報管理サーバ１１０は、指定された日時の医療情報を情報処理装置１１４に送信する（ステップＳ２７０７）。
【０２６０】
医療情報管理サーバ１１０から医療情報を受信した情報処理装置１１４の患者情報管理手段８０２は、過去の日時における患者情報８０９を作成する（ステップＳ２７０８）。
【０２６１】
情報処理装置１１４の情報提供手段８０５は、過去の日時における提供情報を作成し（ステップＳ２７０９）、作成した提供情報を情報端末１１５に送信する（ステップＳ２７１０）。
【０２６２】
情報処理装置１１４から提供情報を受信した情報端末１１５は、受信した提供情報を表示部４０７等に表示させる。
【０２６３】
例えば、上記のような処理により、情報処理システム１００は、過去の日時における患者が装着している無線タグ１０３の位置情報を用いて、患者の医療情報を提供することができる。
【０２６４】
［その他の実施形態］
上記の各実施形態に示した情報処理システム１００のシステム構成は一例であり、情報処理システム１００は様々なシステム構成が可能である。
【０２６５】
例えば、医療情報１１１を管理する医療情報管理サーバ１１０は、複数の医療情報（例えば、入院患者情報、カルテ情報、投薬情報等）を管理する複数のサーバ装置に分かれているものであっても良い。
【０２６６】
また、情報処理装置１１４は、医療情報１１１の少なくとも一部を管理する医療情報管理手段８２２を有していても良い。
【０２６７】
さらに、図１１（ａ）に示す対応情報８１０では、無線タグＩＤとバーコードＩＤが異なる場合について説明を行ったが、無線タグ１０３は、バーコードＩＤと同じＩＤを送信するものであっても良い。
【０２６８】
さらにまた、図１４において、患者が入院する際に、入院受付の担当者は、リストバンド５１３からバーコードＩＤを読取る場合の例について説明したが、入院受付の担当者は、リストバンド５１３から無線タグＩＤを読取るものであっても良い。
【０２６９】
或いは、情報処理装置１１４の患者情報管理手段８０２は、無線タグＩＤと、リストバンド５１３に印字された患者ＩＤとを対応づけて、対応情報８１０として管理するものであっても良い。この場合、患者情報管理手段８０２は、患者ＩＤに基づいて、無線タグＩＤと、患者の医療情報１１１とを対応づけて患者情報８０９として管理すれば良い。
【０２７０】
また、上記の各実施形態では、病院を例に説明を行ったが、本発明は病院以外にも、例えば、介護施設や、保健所等を含む様々な施設等に適用することができる。
【０２７１】
＜まとめ＞
本発明の一実施形態に係る情報処理装置（１１４）は、
施設（１０１）内の無線装置（１０３）の識別情報、及び前記無線装置（１０３）の識別情報を検出した検出装置（１０２）の情報を管理する外部サーバ装置（１０８）とネットワークを介して接続された情報処理装置（１１４）であって、
前記施設（１０１）内の患者が装着している前記無線装置（１０３）の識別情報と前記患者の医療に関する情報（１１１）とを対応づけて管理する第１の管理手段（８０２）と、
前記外部サーバ装置（１０８）から前記無線装置（１０３）の識別情報及び前記検出装置（１０２）の情報を取得する第１の取得手段（８０３）と、
前記取得した情報を用いて、前記施設（１０１）内の患者が装着している無線装置（１０３）の位置情報（８１１）を管理する第２の管理手段（８０４）と、
前記患者が装着している無線装置（１０３）の位置情報（８１１）を用いて前記無線装置（１０３）を装着している患者の医療情報（８０９）を提供する提供手段（８０５）と、
を有する。
【０２７２】
例えば、情報処理装置１１４は、病院１０１内の患者が装着している無線タグ１０３の無線タグＩＤと患者の医療情報とを対応づけて管理し、無線タグ１０３の位置情報を用いて、患者の様々な医療情報を提供する。
【０２７３】
また、情報処理装置１１４は、無線タグ１０３の検出情報を管理する外部サーバ１０８から提供される検出情報を用いて、患者が装着している無線タグ１０３の位置情報を管理するので、位置情報の管理に係るコストを低減させることができる。
【０２７４】
さらに、外部サーバ１０８が取り扱う情報は、無線タグＩＤと検出装置ＩＤだけなので、病院１０１の医療情報等が外部に流出することを抑制することができる。
【０２７５】
以上より、情報処理装置（１１４）によれば、医療情報管理システム（１１０）と外部の位置情報管理システム（１０８）とを用いて、医療情報の流出を抑制しつつ、位置情報と医療情報とを、容易に提供することができるようになる。
【０２７６】
なお、上記括弧内の参照符号、及び名称は、理解を容易にするために付したものであり、あくまで一例であって、本発明の範囲を限定するためのものではない。
【符号の説明】
【０２７７】
１００      情報処理システム
１０１      病院（施設）
１０２      検出装置
１０３      無線タグ（無線装置）
１０７      インターネット（ネットワーク）
１０８      外部サーバ（外部サーバ装置）
１１１      医療情報
１１４      情報処理装置
８０２      患者情報管理手段（第１の管理手段）
８０３      検出情報取得手段（第１の取得手段）
８０４      位置情報管理手段（第２の管理手段）
８０５      情報提供手段（提供手段）
１７０３    呼出情報取得手段（第２の取得手段）
【先行技術文献】
【特許文献】
【０２７８】
【特許文献１】特開２００９−１９８２０９号公報
【特許文献１】特開２００５−１７３７２３号公報
【図１】
0006651748.tif 000002
【図２】
0006651748.tif 000003
【図３】
0006651748.tif 000004
【図４】
0006651748.tif 000005
【図５】
0006651748.tif 000006
【図６】
0006651748.tif 000007
【図７】
0006651748.tif 000008
【図８】
0006651748.tif 000009
【図９】
0006651748.tif 000010
【図１０】
0006651748.tif 000011
【図１１】
0006651748.tif 000012
【図１２】
0006651748.tif 000013
【図１３】
0006651748.tif 000014
【図１４】
0006651748.tif 000015
【図１５】
0006651748.tif 000016
【図１６】
0006651748.tif 000017
【図１７】
0006651748.tif 000018
【図１８】
0006651748.tif 000019
【図１９】
0006651748.tif 000020
【図２０】
0006651748.tif 000021
【図２１】
0006651748.tif 000022
【図２２】
0006651748.tif 000023
【図２３】
0006651748.tif 000024
【図２４】
0006651748.tif 000025
【図２５】
0006651748.tif 000026
【図２６】
0006651748.tif 000027
【図２７】
0006651748.tif 000028